(57)【要約】【課題】本発明は、少なくとも二つ以上の通信サービスを受けることができる携帯端末機にＴＶ視聴と通話を同時に遂行することができる装置及び方法を提供する。【解決手段】少なくとも二つ以上の通信サービスを受信するマルチモード用携帯端末機において、ＴＶ受信中に通話を遂行する装置において、受信信号によってＮ個の通信サービスに分類する第１ＲＦスイッチング部と、第１ＲＦスイッチング部から受信した信号を通話信号とＴＶ信号に分類するそれぞれの通信サービスに該当するダイプレクサと、ダイプレクサから受信したＴＶ信号をＴＶチューナーに印加する第２ＲＦスイッチング部と、携帯端末機の全般的な動作を制御し、受信信号によって第１ＲＦスイッチング部と第２ＲＦスイッチング部を制御する制御部とからなることを特徴とする。【選択図】図２
2004328740.tif 000002
【特許請求の範囲】
【請求項１】
少なくとも二つ以上の通信サービスを受信するマルチモード用携帯端末機でＴＶ受信中に通話を遂行する装置において、
受信信号をＮ個の通信サービスに分類する第１ＲＦスイッチング部と、
前記第１ＲＦスイッチング部から受信した信号を通話信号とＴＶ信号に分類する、それぞれの通信サービスに該当するダイプレクサと、
前記ダイプレクサから受信したＴＶ信号をＴＶチューナーに印加する第２ＲＦスイッチング部と、
前記携帯端末機の全般的な動作を制御し、受信信号によって前記第１ＲＦスイッチング部と前記第２ＲＦスイッチング部を制御する制御部と
からなることを特徴とする装置。
【請求項２】
前記第１ＲＦスイッチング部は、１個の入力ポート、Ｎ個の出力ポート、Ｎ個の制御ポートで構成されることを特徴とする請求項１記載の装置。
【請求項３】
前記第２ＲＦスイッチング部は、１個の入力ポート、前記ダイプレクサと対応されるＭ個の出力ポート、Ｍ個の制御ポートで構成されることを特徴とする請求項１記載の装置。
【請求項４】
前記通信サービスは、ＣＤＭＡサービス、ＰＣＳサービス及びＧＰＳサービスのうち少なくとも一つを含むことを特徴とする請求項１記載の装置。
【請求項５】
前記ＴＶ信号はオーディオ信号及びビデオ信号を含むことを特徴とする請求項１記載の装置。
【請求項６】
ＣＤＭＡ、ＰＣＳ及びＧＰＳサービスを受けることができるトリモード用携帯端末機でＴＶ受信中に通話を遂行する装置は、
受信信号によって第１ダイプレクサ、または第２ダイプレクサ、または前記ＧＰＳにスイッチングする第１ＲＦスイッチング部と、
前記第１ＲＦスイッチング部を通じて印加される信号をＰＣＳ信号、またはＴＶ信号に分離する第１ダイプレクサと、
前記第１ＲＦスイッチング部を通じて印加される信号をＣＤＭＡ信号、またはＴＶ信号に分離する第２ダイプレクサと、
前記第１ダイプレクサ、または前記第２ダイプレクサにスイッチングして前記ＴＶ信号をＴＶチューナーに印加する第２ＲＦスイッチング部と
からなることを特徴とする装置。
【請求項７】
前記第１ＲＦスイッチング部は、１個の入力ポート、３個の出力ポート、３個の制御ポートで構成されることを特徴とする請求項６記載の装置。
【請求項８】
前記第２ＲＦスイッチング部は、１個の入力ポート、２個の出力ポート、２個の制御ポートで構成されることを特徴とする請求項６記載の装置。
【請求項９】
前記携帯端末機がＰＣＳモードであるとき、
前記第１ダイプレクサにスイッチングする第１ＲＦスイッチング部と、
前記第１ＲＦスイッチング部を通じて受信した信号がＰＣＳ信号であると、この信号をＰＣＳデュプレクサに印加し、ＴＶ信号であると、この信号を第２ＲＦスイッチング部を通じてＴＶチューナーに印加する第１ダイプレクサと、
前記第１ダイプレクサにスイッチングして受信した前記ＴＶ信号を前記ＴＶチューナーに印加する第２ＲＦスイッチング部と
からなることを特徴とする請求項６記載の装置。
【請求項１０】
前記携帯端末機がＣＤＭＡモードであるとき、
前記第２ダイプレクサにスイッチングする第１ＲＦスイッチング部と、
前記第１ＲＦスイッチング部を通じて受信した信号がＣＤＭＡ信号であると、この信号をＣＤＭＡデュプレクサに印加し、ＴＶ信号であると、この信号を第２ＲＦスイッチング部を通じてＴＶチューナーに印加する第２ダイプレクサと、
前記第２ダイプレクサにスイッチングして受信した前記ＴＶ信号を前記ＴＶチューナーに印加する第２ＲＦスイッチング部と
からなることを特徴とする請求項６記載の装置。
【請求項１１】
前記携帯端末機がＧＰＳモードであるとき、
前記第１ＲＦスイッチング部がＧＰＳのＲＦスイッチング部にスイッチングされることを特徴とする請求項６記載の装置。
【請求項１２】
前記ＴＶ信号は、オーディオ信号及びビデオ信号を含むことを特徴とする請求項６記載の装置。
【請求項１３】
前記ＴＶ信号は、前記トリモード用携帯端末機の表示部とスピカーを通じて見ることができ、かつ、聞くことができることを特徴とする請求項６記載の装置。
【請求項１４】
前記チューナーは、前記ＴＶ信号からチャネルを選択的に選択できることを特徴とする請求項６記載の装置。
【請求項１５】
少なくとも二つ以上の通信サービスを受信するマルチモード用携帯端末機でＴＶ受信中に通話を遂行する方法において、
受信信号を該当通信サービスに分類する過程と、
前記通信サービスを通話信号とＴＶ信号に分類して通話機能、またはＴＶ視聴機能を遂行する過程と
からなることを特徴とする方法。
【請求項１６】
通話が連結されなかったとき、前記マルチモード用携帯端末機上でＴＶ視聴機能を遂行する過程をさらに含むことを特徴とする請求項１５記載の方法。
【請求項１７】
前記通話信号とＴＶ信号を同時に受信し、通話機能とＴＶ視聴機能を共に遂行できることを特徴とする請求項１５記載の方法。
【請求項１８】
受信信号によって第１ダイプレクサ、または第２ダイプレクサ、または前記ＧＰＳにスイッチングする第１ＲＦスイッチング部と、前記第１ＲＦスイッチング部を通じて印加される信号をＰＣＳ信号、またはＴＶ信号に分離する第１ダイプレクサと、前記第１ＲＦスイッチング部を通じて印加される信号をＣＤＭＡ信号、またはＴＶ信号に分離する第２ダイプレクサと、前記第１ダイプレクサ、または前記第２ダイプレクサにスイッチングして前記ＴＶ信号をＴＶチューナーに印加する第２ＲＦスイッチング部とで構成されたＣＤＭＡ、ＰＣＳ及びＧＰＳサービスを受けることができるトリモード用携帯端末機でＴＶ受信中通話を遂行する方法が、
前記携帯用端末機がＰＣＳモードであるとき、信号を受信する過程と、
前記受信した信号がＰＣＳ信号であると、この信号を前記第１ダイプレクサを通じてＰＣＳデュプレクサに印加し、通話機能を遂行する過程と、
前記受信した信号がＴＶ信号であると、この信号を前記第１ダイプレクサと第２ＲＦスイッチング部を通じて前記ＴＶチューナーに印加し、ＴＶ視聴機能を遂行する過程と
からなることを特徴とする方法。
【請求項１９】
前記携帯用端末機がＰＣＳモードであるとき、
前記第１ＲＦスイッチング部と第２ＲＦスイッチング部は、前記第１ダイプレクサにスイッチングされることを特徴とする請求項１８記載の方法。
【請求項２０】
前記ＰＣＳ信号とＴＶ信号を同時に受信し、通話機能とＴＶ視聴機能を共に遂行できることを特徴とする請求項１８記載の方法。
【請求項２１】
受信信号によって第１ダイプレクサ、または第２ダイプレクサ、または前記ＧＰＳにスイッチングする第１ＲＦスイッチング部と、前記第１ＲＦスイッチング部を通じて印加される信号をＰＣＳ信号またはＴＶ信号に分離する第１ダイプレクサと、前記第１ＲＦスイッチング部を通じて印加される信号をＣＤＭＡ信号またはＴＶ信号に分離する第２ダイプレクサと、前記第１ダイプレクサ、または前記第２ダイプレクサにスイッチングして前記ＴＶ信号をＴＶチューナーに印加する第２ＲＦスイッチング部とで構成されたＣＤＭＡ、ＰＣＳ及びＧＰＳサービスを受けることができるトリモード用携帯端末機でＴＶ受信中通話を遂行する方法が、
前記携帯用端末機がＣＤＭＡモードであるとき、信号を受信する過程と、
前記受信した信号がＣＤＭＡ信号であると、この信号を前記第２ダイプレクサを通じてＣＤＭＡデュプレクサに印加し、通話機能を遂行する過程と、
前記受信した信号がＴＶ信号であると、この信号を前記第２ダイプレクサと第２ＲＦスイッチング部を通じて前記ＴＶチューナーに印加し、ＴＶ視聴機能を遂行する過程と
からなることを特徴とする方法。
【請求項２２】
前記携帯用端末機がＣＤＭＡモードであるとき、
前記第１ＲＦスイッチング部と第２ＲＦスイッチング部は、前記第２ダイプレクサにスイッチングされることを特徴とする請求項２１記載の方法。
【請求項２３】
前記ＣＤＭＡ信号とＴＶ信号を同時に受信し、通話機能とＴＶ視聴機能を遂行できることを特徴とする請求項２１記載の方法。
【請求項２４】
前記ＴＶ信号は、オーディオ信号及びビデオ信号を含むことを特徴とする請求項２１記載の方法。
【発明の詳細な説明】
【技術分野】
【０００１】
本発明は、携帯端末機に関し、特に、少なくとも二つ以上の通信サービスを受けることができる携帯端末機において、ＴＶ視聴と通話を同時に遂行することができる装置及び方法に関する。
【背景技術】
【０００２】
一般的に、ＰＣＳ(Personal Communication Service:以下、‘ＰＣＳ’)方式とＣＤＭＡ(Code Division Multiple Access:以下、‘ＣＤＭＡ’)方式とＧＰＳ(Global Positioning System)方式を使用する携帯端末機をトリモード用端末機(tri-mode phone)と呼び、相異なる方式により移動通信サービスが可能である。
前記トリモード用端末機で、現在常用化されている通信サービスは、８２４MHz〜８９４MHzの周波数帯域を有するＣＤＭＡサービス、１５７５.４２MHzの周波数帯域を有するＧＰＳサービス、及び１８５１MHz〜１９８９MHzの周波数帯域を有するＰＣＳサービスに区分され、このような各サービスを受けるために、端末機内に送受信回路を備える。
【０００３】
図１は、従来のダイプレクサを利用してＧＰＳ及びＣＤＭＡ信号を分離する移動通信端末機の送受信回路図である。図１に示したように、前記ＣＤＭＡとＧＰＳ及びＰＣＳサービスを受けるための端末機の送受信回路は、ＧＰＳ帯域の周波数をフィルタリングする第１、２ＧＰＳ帯域フィルター１ａ、１ｂ、フィルタリングされたＧＰＳ帯域の周波数を増幅するＧＰＳ帯域信号低雑音増幅器２、ＧＰＳ帯域周波数ダウンミキサー３、受信用ディジタル復調回路ＩＣ４、送受信端信号分離用デュプレクサ(Duplexer)５、ＣＤＭＡ帯域信号低雑音増幅器６、ＣＤＭＡ受信帯域フィルター７、ＣＤＭＡ帯域周波数ダウンミキサー(Down Mixer)８、ＧＰＳ及びＣＤＭＡ帯域ローカル周波数信号合成用位相同期ループ(ＰＬＬ;Phase Locked Loop)回路９、送信用ディジタル変調回路ＩＣ１０、ＣＤＭＡ帯域周波数アップミキサー(Up Mixer)１１、ＣＤＭＡ帯域出力増幅器１２、ＣＤＭＡ送信帯域フィルター１３、ＣＤＭＡ帯域高出力増幅器１４、を含む。またダイプレクサ３１とアンテナマッチング回路３２及び２個の周波数帯域特性(ＧＰＳ/ＣＤＭＡ)を有するアンテナ２０を適用している。このようなトリモード用携帯端末機でＴＶ受信機能を遂行しようとすると、別のアンテナを追加しなければならない。しかし、前記のように端末機にアンテナを一つ追加すると、製品のサイズが増大して見掛けが良くなく、また通話機能遂行中にＴＶ視聴が不可能であるという短所がある。
【発明の開示】
【発明が解決しようとする課題】
【０００４】
本発明の目的は、少なくとも二つ以上の通信サービスを受けることができる携帯端末機において、ＴＶ視聴と通話を同時に遂行することができる装置及び方法を提供することにある。
【課題を解決するための手段】
【０００５】
前記目的を達成するための本発明の装置は、少なくとも二つ以上の通信サービスを受信するマルチモード用携帯端末機でＴＶ受信中に通話を遂行する装置において、受信信号をＮ個の通信サービスに分類する第１ＲＦスイッチング部と、前記第１ＲＦスイッチング部から受信した信号を通話信号とＴＶ信号に分類するそれぞれの通信サービスに該当するダイプレクサと、前記ダイプレクサから受信したＴＶ信号をＴＶチューナーに印加する第２ＲＦスイッチング部と、前記携帯端末機の全般的な動作を制御し、受信信号によって前記第１ＲＦスイッチング部と前記第２ＲＦスイッチング部を制御する制御部と、からなることを特徴とする。
【０００６】
前記目的を達成するための本発明の方法は、少なくとも二つ以上の通信サービスを受信するマルチモード用携帯端末機でＴＶ受信中に通話を遂行する方法において、受信信号を該当通信サービスに分類する過程と、前記通信サービスを通話信号とＴＶ信号に分類して通話機能、またはＴＶ視聴機能を遂行する過程と、からなることを特徴とする。
【発明の効果】
【０００７】
本発明は、少なくとも二つ以上の通信サービスを受けることができる携帯端末機が、通信サービスを分類するＲＦスイッチング部と、通話信号とＴＶ信号を分類するダイプレクサなどを使用することにより、一つのアンテナを通じてＴＶ視聴機能と通話機能を同時に遂行することができる効果がある。また製品のサイズ、使用者の便利性を図ることができる。
【発明を実施するための最良の形態】
【０００８】
以下、本発明に従う好適な一実施形態について添付図を参照しつつ詳細に説明する。下記の説明において、本発明の要旨のみを明瞭にする目的で、関連した公知機能又は構成に関する具体的な説明は省略する。
下記説明で、ＲＦスイッチング部の種類、ダイプレクサ(Diplexer)により分離される信号などのような特定詳細が本発明のより全般的な理解を助けるために示されている。これら特定詳細が無くても、あるいはこれらの変更によっても、本発明を容易に実施できることは、当該技術分野での通常の知識を有した者には自明であるだろう。
【０００９】
以下、本発明の実施形態の説明では、ＣＤＭＡ(Code Division Multiple Access)、ＰＣＳ(Personal Communication Service)及びＧＰＳ(Global Positioning System)サービスを受けることができるトリモード用携帯端末機を基準として説明するが、前記通信サービス外にＧＳＭ(Global System for Mobile communication)など多様な通信サービスが同一に適用されることができる。また、本発明の実施形態で、ＰＣＳモードでＰＣＳ信号がＰＣＳデュプレクサに受信されるとき、通話が遂行できることを仮定し、ＣＤＭＡモードでＣＤＭＡ信号がＣＤＭＡデュプレクサに受信されるとき、通話が遂行できることを仮定する。また、ＧＰＳモードでＧＰＳ信号がＧＰＳスイッチング部に受信されるとき、該当ＧＰＳ機能を遂行することを仮定し、ＴＶ信号がＴＶチューナーに受信されるとき、ＴＶ視聴機能を遂行することを仮定する。当該技術分野の通常の知識を有した者は、前記ＴＶ信号がオーディオとビデオ信号を含み、後述されるチューナーが選択的に特定のチャネルを同調(tune)することができることを理解することができる。
【００１０】
以下、本発明の実施形態を添付図を参照して詳細に説明する。
図２は、本発明の実施形態に従うトリモード用携帯端末機の構成を示した図であり、図４Ａは、本発明の実施形態に従う図２の第１ダイプレクサの挿入損失を示したグラフであり、図４Ｂは、本発明の実施形態に従う図２の第２ダイプレクサの挿入損失を示したグラフである。
【００１１】
前記図２を参照すると、第１ＲＦスイッチング部１００は、１個の入力ポート(Ｐ１)と３個の出力ポート(Ｐ２、Ｐ３、Ｐ４)と３個の制御ポート(Ｖｃ１、Ｖｃ２、Ｖｃ３)で構成されるＳＰ３Ｔ(Single-Pole-Three-Throw)形態のスイッチング回路である。前記第１ＲＦスイッチング部１００で、入力ポートＰ１は、アンテナ１００と連結され、前記出力ポートのうち、Ｐ２は、第１ダイプレクサ１２０と、Ｐ３は、第２ダイプレクサ１３０と、Ｐ３は、ＧＰＳのＲＦスイッチング部１４０とそれぞれ連結される。前記制御ポートは、制御部１９０により制御される。前記制御ポートのうち、Ｖｃ１のみに‘ハイ’信号が印加され、残りの制御ポートＶｃ２、Ｖｃ３にロウ信号が印加されると、前記出力ポートＰ２は前記第１ダイプレクサ１２０にスイッチングされる。また前記制御ポートのうち、Ｖｃ２に‘ハイ’信号が印加され、残りの制御ポートにロウ信号が印加されると、前記出力ポートＰ３は、前記第２ダイプレクサ１３０にスイッチングされる。また、前記制御ポートのうち、Ｖｃ３に‘ハイ’信号が印加され、残りの制御ポートにロウ信号が印加されると、前記出力ポートＰ４は、前記ＧＰＳのＲＦスイッチング部１４０にスイッチングされる。
【００１２】
図３Ａは、前記のように１個の入力ポートと３個の出力ポートと３個の制御ポート(Ｖｃ１、Ｖｃ２、Ｖｃ３)で構成されるＳＰ３Ｔ(Single-pole-３-throw)形態の第１ＲＦスイッチング部１１０を示している。
前記図２を参照すると、前記第１ダイプレクサ１２０は、受信したバンド信号を分離するもので、特に、本発明の実施形態では、１８５１〜１９８９MHzの周波数が割り当てられたＰＣＳ信号と、５０〜７００MHzの周波数が割り当てられたＴＶ信号を分離する機能を遂行し、ロウパスフィルターとハイパスフィルターで構成される。前記携帯用端末機がＰＣＳモードに設定されるとき、前記アンテナ１００から受信された信号は、前記第１ＲＦスイッチング部１１０でスイッチングされた前記第１ダイプレクサ１２０に印加され分離される。前記分離された信号がＰＣＳ信号であると、ＰＣＳデュプレクサ１５０に印加され通話機能を遂行し、ＴＶ信号であると、第２ＲＦスイッチング部１６０を通じてＴＶチューナー１８０に印加されＴＶを視聴する。前記ＴＶ視聴は、携帯端末機で白黒、またはカラーで視聴することができる。前記のように前記ＴＶチューナー１８０は、予め設定されたチャネルを選択し、チャネルをスキャンするのに使用することができる。前記図４Ａは、ＰＣＳ信号とＴＶ信号分離用に使用する前記第１ダイプレクサ１２０で発生する挿入損失を示している。前記図４Ａのように、ｍ１とｍ２はＴＶバンド信号の挿入損失を示し、ｍ３とｍ４はＰＣＳバンド信号の挿入損失を示している。前記図４Ａのように、ＰＣＳ信号とＴＶ信号分離用に使用する前記第１ダイプレクサ１２０で発生する挿入損失が大きくないことが分かる。
【００１３】
前記図２を参照すると、前記第２ダイプレクサ１３０は、受信したバンド信号を分離するもので、本発明の実施形態では８２４〜８９４MHz周波数が割り当てられたＣＤＭＡ信号と５０〜７００MHz周波数が割り当てられたＴＶ信号を分離する機能を遂行し、ロウパスフィルターとハイパスフィルターで構成される。前記携帯用端末機がＣＤＭＡモードに設定されるとき、前記アンテナ１００から受信された信号は、前記第１ＲＦスイッチング部１１０でスイッチングされた前記第２ダイプレクサ１３２０に印加され分離される。前記分離された信号がＣＤＭＡ信号であると、送受信端信号分離用であるＣＤＭＡデュプレクサ１５０に印加され通話機能を遂行し、ＴＶ信号であると、第２ＲＦスイッチング部１６０を通じてＴＶチューナー１８０に印加されＴＶ受信機能を遂行する。図４Ｂは、ＣＤＭＡ信号とＴＶ信号分離用に使用する第２ダイプレクサ１３０で発生する挿入損失を示している。前記図４Ｂで、ｍ１は、ＴＶバンド信号の挿入損失を示し、ｍ２は、ＣＤＭＡバンド信号の挿入損失を示している。前記図４Ｂのように、ＣＤＭＡ信号とＴＶ信号分離用に使用する前記第２ダイプレクサ１３０で発生する挿入損失が大きくないことが分かる。
【００１４】
前記第２ＲＦスイッチング部１６０は、１個の入力ポート(Ｐ５)と２個の出力ポート(Ｐ６、Ｐ７)と２個の制御ポート(Vctrl１、Vctrl２)で構成されるＳＰＤＴ(Single-Pole-Double-Throw)形態のスイッチング回路である。前記第２ＲＦスイッチング部１６０で、入力ポートＰ５はＴＶチューナー１８０と連結され、前記出力ポートのうち、Ｐ６は、第１ダイプレクサ１２０と、Ｐ７は、第２ダイプレクサ１３０と連結される。前記制御ポートは、制御部１９０により制御される。前記制御ポートのうち、Vctrl１のみに‘ハイ’信号が印加され、残りの制御ポートにロウ信号が印加されると、前記出力ポートＰ６は、前記第１ダイプレクサ１２０にスイッチングされる。また、前記制御ポートのうち、Vctrl２にハイ信号が印加され、残りの制御ポートにロウ信号が印加されると、前記出力ポートＰ７は、前記第２ダイプレクサ１３０にスイッチングされる。
【００１５】
本発明の実施形態について図３Ｂを参照して説明する。前記図３Ｂは、本発明の実施形態に従う図２の第２ＲＦスイッチング部に対する詳細な構造を示した図である。特に、図３Ｂは前記のように、１個の入力ポートと２個の出力ポートと２個の制御ポート(Vctrl１、Vctrl２)で構成されるＳＰＤＴ(Single-Pole-Double-Throw)形態の第２ＲＦスイッチング部１６０を示している。
【００１６】
前記図２を参照すると、前記制御部１９０は、前記携帯端末機の全般的な動作を制御する機能を遂行する。前記制御部１９０は、本発明の実施形態に従って前記携帯端末機がＰＣＳモードに設定されると、前記第１ＲＦスイッチング部１１０の制御ポートＶｃ１を‘ハイ’に設定し、残りの制御ポートＶｃ２とＶｃ３を‘ロウ’に設定して、前記第１ＲＦスイッチング部１１０が前記第１ダイプレクサ１２０にスイッチングされるように制御する。また前記第２ＲＦスイッチング部１６０の制御ポートVctrl１を‘ハイ’に設定し、残りの制御ポートVctrl２を‘ロウ’に設定して、前記第２ＲＦスイッチング部１６０が前記第１ダイプレクサ１２０にスイッチングされるように制御する。
【００１７】
また、本発明の実施形態に従って、前記携帯端末機がＣＤＭＡモードに設定されると、 前記制御部１９０は、前記第１ＲＦスイッチング部１１０の制御ポートＶｃ２を‘ハイ’に設定し、残りの制御ポートＶｃ１とＶｃ３を‘ロウ’に設定して、前記第１ＲＦスイッチング部１１０が前記第２ダイプレクサ１３０にスイッチングされるように制御する。また前記第２ＲＦスイッチング部１６０の制御ポートVctrl２を‘ハイ’に設定し、残りの制御ポートVctrl１を‘ロウ’に設定して、前記第２ＲＦスイッチング部１６０が前記第２ダイプレクサ１３０にスイッチングされるように制御する。また、本発明の実施形態に従って、前記制御部１９０は、前記携帯端末機がＧＰＳモードに設定されると、前記第１ＲＦスイッチング部１１０の制御ポートＶｃ３を‘ハイ’に設定し、残りの制御ポートＶｃ２とＶｃ３を‘ロウ’に設定して、前記第１ＲＦスイッチング部１１０がＧＰＳのＲＦスイッチング部１４０にスイッチングされるように制御する。
【００１８】
前記図２を参照してトリモード用携帯端末機の動作を説明すると、前記携帯端末機がＰＣＳに設定されるとき、前記制御部１９０の制御下で、前記第１ＲＦスイッチング部１１０と前記第２ＲＦスイッチング部１６０は、前記第１ダイプレクサ１２０にスイッチングされる。前記アンテナ１００を通じて信号が受信されるとき、前記受信信号は、前記第１ＲＦスイッチング部１１０を通じて前記第１ダイプレクサ１２０に印加される。この時、前記第１ダイプレクサ１２０を通じて分離された信号がＰＣＳ信号であると、ＰＣＳデュプレクサ１５０に印加され通話機能を遂行し、ＴＶ信号であると、前記第２ＲＦスイッチング部１６０を通じて前記ＴＶチューナー１８０に印加されＴＶ視聴機能を遂行する。または、前記携帯端末機がＣＤＭＡに設定されるとき、前記制御部１９０の制御下で、前記第１ＲＦスイッチング部１１０と前記第２ＲＦスイッチング部１６０は、前記第２ダイプレクサ１３０にスイッチングされる。前記アンテナ１００を通じて信号が受信されるとき、前記受信信号は、前記第１ＲＦスイッチング部１１０を通じて前記第２ダイプレクサ１３０に印加される。この時、前記１ダイプレクサ１２０を通じて分離された信号がＣＤＭＡ信号であると、ＣＤＭＡデュプレクサ１７０に印加され通話機能を遂行し、ＴＶ信号であると、前記第２ＲＦスイッチング部１６０を通じて前記ＴＶチューナー１８０に印加されＴＶ視聴機能を遂行する。または前記携帯端末機がＧＰＳモードに設定されるとき、前記制御部１９０の制御下で、前記第１ＲＦスイッチング部１１０は、前記ＧＰＳのＲＦスイッチ部１４０にスイッチングされる。前記アンテナ１００を通じてＧＰＳ信号が受信されるとき、前記ＧＰＳ信号は、前記第１ＲＦスイッチング部１１０を通じて前記ＧＰＳのＲＦスイッチ部１４０に印加され該当機能を遂行する。
【００１９】
図５は、本発明の実施形態に従う携帯端末機がＰＣＳモードでＴＶ受信と通話を同時に遂行する過程を示した図である。
以下、本発明の実施形態を図２及び図５を参照して詳細に説明する。
【００２０】
前記携帯端末機が３０１段階でＰＣＳモードに設定されると、前記制御部１９０は、これを感知し、前記第１ＲＦスイッチング部１１０の制御ポートＶｃ１をハイに、Ｖｃ２をロウに、Ｖｃ３をロウ設定して、前記第１ＲＦスイッチング部１１０で入力ポートＰ１が第１ダイプレクサ１２０と連結された出力ポートＰ２にスイッチングされる３０２段階に進む。その後、前記制御部１９０は、３０３段階で前記第２ＲＦスイッチング部１６０の制御ポートVctrlをハイに設定し、Vctrl２をロウに設定して、前記第２ＲＦスイッチング部１６０でＴＶチューナー１８０と連結された入力ポートＰ５が、前記第１ダイプレクサ１２０と連結された出力ポートＰ６にスイッチングされるように制御する。
【００２１】
前記携帯端末機の使用者が前記携帯端末機を通じてＴＶ受信のためのＴＶモードに切り換えるとき、前記制御部１９０は、３０４段階で前記アンテナ１００から受信されるＴＶ信号を感知する。前記ＴＶ信号は、３０５段階で前記第１ＲＦスイッチング部１１０を通じて前記第１ダイプレクサ１２０に印加され、前記第１ダイプレクサ１２０は前記ＴＶ信号を分離して前記第２ＲＦスイッチング部１６０に印加する。前記第２ＲＦスイッチング部１６０に印加された前記ＴＶ信号は、３０６段階で前記ＴＶチューナー１８０に受信され、前記使用者がＴＶを視聴することができる３０７段階に進む。
【００２２】
前記使用者がＴＶ視聴中である前記３０７段階で、ＰＣＳ信号が受信されると、前記制御部１９０は、３０８段階でこれを感知し、３０９段階に進む。前記３０９段階で、前記ＰＣＳ信号は、前記第１ＲＦスイッチング部１１０を通じて前記第１ダイプレクサ１２０に印加され、前記第１ダイプレクサ１２０は、前記ＰＣＳ信号を分離してＰＣＳデュプレクサ１５０に提供する３１０段階に進む。前記ＰＣＳデュプレクサ１５０に受信された信号は通話を遂行することができる３１１段階に進み、通話が終了すると、前記制御部１９０は、３１２段階でこれを感知し、ＴＶ視聴中である３０７段階に進む。
【００２３】
図６は、本発明の実施形態に従う携帯端末機がＣＤＭＡモードでＴＶ受信と通話を同時に遂行する過程を示した図である。
以下、本発明の実施形態を、図２及び図６を参照して詳細に説明する。
【００２４】
４０１段階で、前記携帯端末機がＣＤＭＡモードに設定されると、前記制御部１９０はこれを感知し、前記第１ＲＦスイッチング部１１０の制御ポートＶｃ２をハイに、Ｖｃ１をロウに、Ｖｃ３をロウに設定して、前記第１ＲＦスイッチング部１１０で入力ポートＰ１が前記第２ダイプレクサ１３０と連結された出力ポートＰ３にスイッチングされる４０２段階に進む。その後、前記制御部１９０は、前記第２ＲＦスイッチング部１６０の制御ポートVctr２をハイに設定し、Vctrl１をロウに設定して、前記第２ＲＦスイッチング部１６０でＴＶチューナー１８０と連結された入力ポートＰ５が、前記第２ダイプレクサ１３０と連結された出力ポートＰ７にスイッチングされるように制御する４０３段階に進む。
【００２５】
前記携帯端末機の使用者が、前記携帯端末機を通じてＴＶ受信のためのＴＶモードに切り換えるとき、前記制御部１９０は、前記アンテナ１００から受信されるＴＶ信号を４０４段階で感知する。感知された前記ＴＶ信号は、４０５段階で前記第１ＲＦスイッチング部１１０を通じて前記第２ダイプレクサ１３０に印加され、前記第２ダイプレクサ１３０は、前記ＴＶ信号を分離して、これを前記第２ＲＦスイッチング部１６０に印加する。前記第２ＲＦスイッチング部１６０に印加された前記ＴＶ信号は、４０６段階で前記ＴＶチューナー１８０に受信され、前記使用者がＴＶを視聴することができる４０７段階にむ。
【００２６】
前記使用者がＴＶ視聴中である前記４０７段階で、ＣＤＭＡ信号が受信されると、前記制御部１９０は、４０８段階でこれを感知し、４０９段階に進む。前記４０９段階で前記ＣＤＭＡ信号は、前記第１ＲＦスイッチング部１１０を通じて前記第２ダイプレクサ１３０に印加され、前記第２ダイプレクサ１３０は、前記ＣＤＭＡ信号を分離してＣＤＭＡデュプレクサ１７０に与える４１０段階に進む。前記ＣＤＭＡデュプレクサ１５０に受信された信号は、通話を遂行することができる４１１段階に進み、前記使用者が通話終了時、前記制御部１９０は、４１２段階でこれを感知し、ＴＶ視聴中である４０７段階に進む。
【００２７】
本発明の実施形態で前記携帯端末機がＧＰＳモードに設定されるとき、前記制御部１９０は、前記第１ＲＦスイッチング部１１０の制御ポートＶｃ３をハイに、Ｖｃ１をロウに、Ｖｃ２をロウに設定して、前記第１ＲＦスイッチング部１１０で入力ポートＰ１がＧＰＳのＲＦスイッチング部１４０と連結された出力ポートＰ４にスイッチングされるように制御する。この時、前記ＧＰＳ信号が受信されると、前記ＧＰＳ信号は前記第１ＲＦスイッチング部１１０を通じて前記ＧＰＳのＲＦスイッチング部１４０に印加され、該当機能を遂行する。
【００２８】
図７Ａは、本発明の実施形態に従う図５のＰＣＳモードで発生する挿入損失を示すグラフである。特に、前記図７Ａは前記第１ＲＦスイッチング部１１０の入力ポートＰ１が出力ポートＰ２にスイッチングされるＰＣＳモードで発生する挿入損失を示すグラフである。
図７Ｂは、本発明の実施形態に従う図６のＣＤＭＡモードで発生する挿入損失を示すグラフである。特に、前記図７Ｂは前記第１ＲＦスイッチング部１１０の入力ポートＰ１が出力ポートＰ３にスイッチングされるＣＤＭＡモードで発生する挿入損失を示すグラフである。図７Ｃは、本発明の実施形態に従う図７のＧＰＳモードで発生する挿入損失を示すグラフである。特に、前記図７Ｃは前記第１ＲＦスイッチング部１１０の入力ポートＰ１が出力ポートＰ４にスイッチングされるＧＰＳモードで発生する挿入損失を示す。前記図７Ａ〜図７Ｃのように発生する挿入損失は最小０.２５ｄＢであり、あまり大きくないことが分かる。
【図面の簡単な説明】
【００２９】
【図１】従来技術に従うトリモード用携帯用端末機の構成を示した図である。
【図２】本発明の実施形態に従うトリモード用携帯用端末機の構成を示した図である。
【図３Ａ】図２の第１ＲＦスイッチング部を示した図である。
【図３Ｂ】第２ＲＦスイッチング部を示した図である。
【図４Ａ】本発明の実施形態に従う図２の第１ダイプレクサの挿入損失を示したグラフである。
【図４Ｂ】本発明の実施形態に従う図２の第２ダイプレクサの挿入損失を示したグラフである。
【図５】本発明の実施形態に従う携帯端末機がＰＣＳモードでＴＶ受信と通話を同時に遂行する過程を示した図である。
【図６】本発明の実施形態に従う携帯端末機がＣＤＭＡモードでＴＶ受信と通話を同時に遂行する過程を示した図である。
【図７Ａ】本発明の実施形態に従う図５のＰＣＳモードで発生する挿入損失を示したグラフである。
【図７Ｂ】本発明の実施形態に従う図６のＣＤＭＡモードで発生する挿入損失を示したグラフである。
【図７Ｃ】本発明の実施形態に従うＧＰＳモードで発生する挿入損失を示したグラフである。
【符号の説明】
【００３０】
１００…第１ＲＦスイッチング部
１１０…アンテナ
１２０…第１ダイプレクサ
１３０…第２ダイプレクサ
１４０…ＲＦスイッチング部
１５０…ＰＣＳデュプレクサ
１６０…第３ＲＦスイッチング部
１７０…ＣＤＭＡデュプレクサ
１８０…ＴＶチューナー
１９０…制御部
【図１】
2004328740.tif 000003
【図２】
2004328740.tif 000004
【図３Ａ】
2004328740.tif 000005
【図３Ｂ】
2004328740.tif 000006
【図４Ａ】
2004328740.tif 000007
【図４Ｂ】
2004328740.tif 000008
【図５】
2004328740.tif 000009
【図６】
2004328740.tif 000010
【図７Ａ】
2004328740.tif 000011
【図７Ｂ】
2004328740.tif 000012
【図７Ｃ】
2004328740.tif 000013